(57)【要約】【課題】本発明は室内用の殺菌除塵と空気の酸素含有量を増やす装置を開示した。  【解決手段】ボディーを含み、前記ボディーの中には酸素製造チャンバが設置され、前記酸素製造チャンバの左側壁には弾き出しチャンバが設置され、前記弾き出しチャンバの頂壁には頂部チャンバが設置され、前記酸素製造チャンバの上側には駆動チャンバが設置され、前記駆動チャンバと前記酸素製造チャンバと前記頂部チャンバとの間には酸素を製造できる酸素製造装置が設置され、本装置は過酸化水素水が酸化マンガンの触媒作用のもとで大量の酸素を作り出し、同時に作り出した酸素の純度が高く、装置が酸素製造装置の上下移動を通じて過酸化水素水と酸化マンガンとの接触量を制御でき、これにより酸素の生成の速度を制御し、これにより患者が酸素マスクをつけて酸素を吸入する必要がなくなる。【選択図】図１
2020196658.tif 000002
【特許請求の範囲】
【請求項１】
正面視で、ボディーを含み、前記ボディーの中には酸素製造チャンバが設置され、前記酸素製造チャンバの左側壁には弾き出しチャンバが設置され、前記弾き出しチャンバの頂壁には頂部チャンバが設置され、前記酸素製造チャンバの上側には駆動チャンバが設置され、前記駆動チャンバと前記酸素製造チャンバと前記頂部チャンバとの間には酸素を製造できる酸素製造装置が設置され、
前記酸素製造装置は第一モータと、モータ軸と、カムと、駆動板と、Ｌ型ロッドと、貯蔵ブロックと、金網と、リミットチャンバと、リミットブロックと、リミットばねと、従動板と、連結ばねと、従動板とにより構成され、前記駆動チャンバの右側壁には第一モータが固定的に装着され、前記第一モータにはモータ軸が連結され、前記モータ軸にはカムが固定的に設置され、前記駆動チャンバの中には駆動板がスライドできるように連結され、前記カムが前記駆動板と当接しており、前記駆動板の底面には前記駆動チャンバの底壁とスライドできるように連結されたＬ型ロッドが固定的に設置され、前記Ｌ型ロッドが下方へ伸びて前記駆動チャンバの底壁を貫通して前記酸素製造チャンバの中に入り、また前記酸素製造チャンバの頂壁とスライドできるように連結され、前記酸素製造チャンバの中には貯蔵ブロックがスライドできるように連結され、前記貯蔵ブロックが左右にそれぞれ一つあり、前記Ｌ型ロッドが右側の前記貯蔵ブロックと固定的に連結され、前記貯蔵ブロックの中には酸化マンガンを置くことができ、前記貯蔵ブロックの底チャンバには金網が固定的に設置され、前記貯蔵ブロックの中にはリミットチャンバが設置され、前記リミットチャンバの中にはリミットブロックがスライドできるように連結され、前記リミットブロックが左側の前記貯蔵ブロックと固定的に連結され、前記リミットブロックと前記リミットチャンバとの間にはリミットばねが連結され、前記頂部チャンバの中には従動板がスライドできるように連結され、前記従動板と前記頂部チャンバとの間には連結ばねが連結され、前記従動板の右側面には前記貯蔵ブロックと当接できる従動ブロックが固定的に設置され、
前記酸素製造チャンバの右側壁には気体排出パイプが設置され、前記気体排出パイプの片側には排気チャンバが連結され、前記排気チャンバの左側にはベベルギヤチャンバが設置され、前記ベベルギヤチャンバの左側には気体入りチャンバが設置され、前記気体入りチャンバと前記ベベルギヤチャンバとの間及び前記排気チャンバと前記ベベルギヤチャンバとの間にはそれぞれ細管が連結され、前記排気チャンバと前記ベベルギヤチャンバと前記気体入りチャンバとの間には浄化装置が設置され、前記浄化装置が空気の流通を速められ、前記ボディーの底チャンバには台座が設置され、前記台座の中には回転装置が設置されていることを特徴とする室内用の殺菌除塵と空気の酸素含有量を増やす装置。
【請求項２】
前記回転装置が前記ボディーを連動させて回転させることができ、これにより空気の流通と酸素の放出を速められることを特徴とする請求項１に記載の室内用の殺菌除塵と空気の酸素含有量を増やす装置。
【請求項３】
前記浄化装置は横軸と、第一ベベルギヤと、ファンと、フィルタとにより構成され、前記ベベルギヤチャンバの左右側壁には横軸が回転できるように装着され、前記横軸には前記第一ベベルギヤが固定的に設置され、前記横軸がそれぞれ左右の両側壁に伸び、前記ベベルギヤチャンバの左右側壁を貫通して前記気体入りチャンバと前記排気チャンバの中に入り、また前記排気チャンバの一側壁と回転できるように連結され、前記横軸の左右両側にはファンが対称的に固定的に設置され、前記排気チャンバの中には空気を濾過できるフィルタが固定的に設置されていることを特徴とする請求項１に記載の室内用の殺菌除塵と空気の酸素含有量を増やす装置。
【請求項４】
前記回転装置は開口チャンバと、第二モータと、長軸と、第二ベベルギヤと、第一ギヤと、第二ギヤと、リングギヤと、連結ロッドと、短軸とにより構成され、前記台座の中には前記開口チャンバが設置され、前記開口チャンバの底壁には第二モータが固定的に設置され、前記第二モータには長軸が連結され、前記長軸が上方へ伸びて前記ベベルギヤチャンバの中に入り、且つ前記ベベルギヤチャンバの底壁と回転できるように連結され、前記長軸の頂側には前記第一ベベルギヤと噛み合っている第二ベベルギヤが固定的に設置され、前記長軸のうち前記開口チャンバの中に位置しているところには第一ギヤが固定的に設置され、前記開口チャンバの底壁には短軸が回転できるように連結され、前記短軸には前記第一ギヤと噛み合っている第二ギヤが固定的に設置され、前記開口チャンバの中にはリングギヤがスライドできるように連結され、前記リングギヤの頂面には連結ロッドが左右対称的に固定的に設置され、前記連結ロッドが前記ボディーの底面と固定的に連結されていることを特徴とする請求項１に記載の室内用の殺菌除塵と空気の酸素含有量を増やす装置。
【請求項５】
前記ボディーの外周には消毒灯が固定的に設置され、前記消毒灯をつけた時に部屋を消毒することができることを特徴とする請求項１に記載の室内用の殺菌除塵と空気の酸素含有量を増やす装置。
【請求項６】
前記フィルタが空気中の埃を有効的に濾過することができることを特徴とする請求項３に記載の室内用の殺菌除塵と空気の酸素含有量を増やす装置。
【請求項７】
前記酸素製造チャンバの左側壁には連通チャンバが設置され、前記連通チャンバの中には電磁弁が固定的に設置され、前記電磁弁が前記酸素製造チャンバの開閉を制御できることを特徴とする請求項１に記載の室内用の殺菌除塵と空気の酸素含有量を増やす装置。
【請求項８】
二つの前記ファンの装着方向が逆であり、前記気体入りチャンバの中の前記ファンが気体を吸い入れることができ、前記排気チャンバの中の前記ファンが気体を排出することができることを特徴とする請求項３に記載の室内用の殺菌除塵と空気の酸素含有量を増やす装置。
【発明の詳細な説明】
【技術分野】
【０００１】
本発明は空気浄化分野を取り上げて、具体的には室内用の殺菌除塵と空気の酸素含有量を増やす装置である。
【背景技術】
【０００２】
国家の発展につれて、人々が入院している時、体が弱くて酸素マスクをつけることで回復の効率を上げる必要があり、しかし、現有の酸素マスクが長時間つけられると、患者の不具合などの問題をもたらし、患者は快適な環境で治療を受けることができなく、これにより予想できない結果が出やすい。
同時に現有の酸素製造機は機能が比較的に単一であり、病院のような複雑な環境に適用されなく、例えば患者が病室に入る前に消毒処理ができなく、同時に現有の酸素製造機が空気の流通を速められなく、また空気の中の埃や不純物などを濾過することもできない。
【先行技術文献】
【特許文献】
【０００３】
【特許文献１】中国特許出願公開第１０３２５２１３９号明細書
【発明の概要】
【発明が解決しようとする課題】
【０００４】
本発明は室内用の殺菌除塵と空気の酸素含有量を増やす装置を提供し、上記背景技術において提出された問題を解決することを目的とする。
【課題を解決するための手段】
【０００５】
上記の目的を実現するために、本発明は以下の技術プランを提供する：
【０００６】
本発明の室内用の殺菌除塵と空気の酸素含有量を増やす装置は、ボディーを含み、前記ボディーの中には酸素製造チャンバが設置され、前記酸素製造チャンバの左側壁には弾き出しチャンバが設置され、前記弾き出しチャンバの頂壁には頂部チャンバが設置され、前記酸素製造チャンバの上側には駆動チャンバが設置され、前記駆動チャンバと前記酸素製造チャンバと前記頂部チャンバとの間には酸素を製造できる酸素製造装置が設置され、
前記酸素製造装置は第一モータと、モータ軸と、カムと、駆動板と、Ｌ型ロッドと、貯蔵ブロックと、金網と、リミットチャンバと、リミットブロックと、リミットばねと、従動板と、連結ばねと、従動板とにより構成され、前記駆動チャンバの右側壁には第一モータが固定的に装着され、前記第一モータにはモータ軸が連結され、前記モータ軸にはカムが固定的に設置され、前記駆動チャンバの中には駆動板がスライドできるように連結され、前記カムが前記駆動板と当接しており、前記駆動板の底面には前記駆動チャンバの底壁とスライドできるように連結されたＬ型ロッドが固定的に設置され、前記Ｌ型ロッドが下方へ伸びて前記駆動チャンバの底壁を貫通して前記酸素製造チャンバの中に入り、また前記酸素製造チャンバの頂壁とスライドできるように連結され、前記酸素製造チャンバの中には貯蔵ブロックがスライドできるように連結され、前記貯蔵ブロックが左右にそれぞれ一つあり、前記Ｌ型ロッドが右側の前記貯蔵ブロックと固定的に連結され、前記貯蔵ブロックの中には酸化マンガンを置くことができ、前記貯蔵ブロックの底チャンバには金網が固定的に設置され、前記貯蔵ブロックの中にはリミットチャンバが設置され、前記リミットチャンバの中にはリミットブロックがスライドできるように連結され、前記リミットブロックが左側の前記貯蔵ブロックと固定的に連結され、前記リミットブロックと前記リミットチャンバとの間にはリミットばねが連結され、前記頂部チャンバの中には従動板がスライドできるように連結され、前記従動板と前記頂部チャンバとの間には連結ばねが連結され、前記従動板の右側面には前記貯蔵ブロックと当接できる従動ブロックが固定的に設置され、
前記酸素製造チャンバの右側壁には気体排出パイプが設置され、前記気体排出パイプの片側には排気チャンバが連結され、前記排気チャンバの左側にはベベルギヤチャンバが設置され、前記ベベルギヤチャンバの左側には気体入りチャンバが設置され、前記気体入りチャンバと前記ベベルギヤチャンバとの間及び前記排気チャンバと前記ベベルギヤチャンバとの間にはそれぞれ細管が連結され、前記排気チャンバと前記ベベルギヤチャンバと前記気体入りチャンバとの間には浄化装置が設置され、前記浄化装置が空気の流通を速められ、前記ボディーの底チャンバには台座が設置され、前記台座の中には回転装置が設置され、前記回転装置が前記ボディーを連動させて回転させることができ、これにより空気の流通と酸素の放出を速められる。
【０００７】
上記の技術プランに基づき、前記浄化装置は横軸と、第一ベベルギヤと、ファンと、フィルタとにより構成され、前記ベベルギヤチャンバの左右側壁には横軸が回転できるように装着され、前記横軸には前記第一ベベルギヤが固定的に設置され、前記横軸がそれぞれ左右の両側壁に伸び、前記ベベルギヤチャンバの左右側壁を貫通して前記気体入りチャンバと前記排気チャンバの中に入り、また前記排気チャンバの一側壁と回転できるように連結され、前記横軸の左右両側にはファンが対称的に固定的に設置され、前記排気チャンバの中には空気を濾過できるフィルタが固定的に設置されている。
【０００８】
上記の技術プランに基づき、前記回転装置は開口チャンバと、第二モータと、長軸と、第二ベベルギヤと、第一ギヤと、第二ギヤと、リングギヤと、連結ロッドと、短軸とにより構成され、前記台座の中には前記開口チャンバが設置され、前記開口チャンバの底壁には第二モータが固定的に設置され、前記第二モータには長軸が連結され、前記長軸が上方へ伸びて前記ベベルギヤチャンバの中に入り、且つ前記ベベルギヤチャンバの底壁と回転できるように連結され、前記長軸の頂側には前記第一ベベルギヤと噛み合っている第二ベベルギヤが固定的に設置され、前記長軸のうち前記開口チャンバの中に位置しているところには第一ギヤが固定的に設置され、前記開口チャンバの底壁には短軸が回転できるように連結され、前記短軸には前記第一ギヤと噛み合っている第二ギヤが固定的に設置され、前記開口チャンバの中にはリングギヤがスライドできるように連結され、前記リングギヤの頂面には連結ロッドが左右対称的に固定的に設置され、前記連結ロッドが前記ボディーの底面と固定的に連結されている。
【０００９】
上記の技術プランに基づき、前記ボディーの外周には消毒灯が固定的に設置され、前記消毒灯をつけた時に部屋を消毒することができる。
【００１０】
上記の技術プランに基づき、前記フィルタが空気中の埃を有効的に濾過することができる。
【００１１】
上記の技術プランに基づき、前記酸素製造チャンバの左側壁には連通チャンバが設置され、前記連通チャンバの中には電磁弁が固定的に設置され、前記電磁弁が前記酸素製造チャンバの開閉を制御できる。
【００１２】
上記の技術プランに基づき、二つの前記ファンの装着方向が逆であり、前記気体入りチャンバの中の前記ファンが気体を吸い入れることができ、前記排気チャンバの中の前記ファンが気体を排出することができる。
【発明の効果】
【００１３】
本発明の有益効果は：本装置は過酸化水素水が酸化マンガンの触媒作用のもとで大量の酸素を作り出し、同時に作り出した酸素の純度が高く、装置が酸素製造装置の上下移動を通じて過酸化水素水と酸化マンガンとの接触量を制御でき、これにより酸素の生成の速度を制御し、これにより患者が酸素マスクをつけて酸素を吸入する必要がなくなり、患者の快適性を向上させる。
同時に本装置は病室を消毒でき、消毒設備を省き、また、本装置が空気の流通を速めると同時に、空気の中の異臭と埃とを濾過でき、これにより酸素の輸送を速めるだけではなく、病室を快適な環境にする。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の室内用の殺菌除塵と空気の酸素含有量を増やす装置の全体全断面の正面構成模式図
【図２】図２は本発明の図１の中のＡのところの部分拡大図
【図３】図３は本発明の図１の中のＢ―Ｂ方向の断面図
【図４】図４は本発明の図１の中のカムの構成模式図
【発明を実施するための形態】
【００１６】
本発明書に開示した全ての特徴、或いは開示した全ての方法、過程中のステップは、互いに排斥する特徴或いはステップ以外に、いかなる方式で組み合わせることができる。    
【００１７】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。    
【００１８】
図１〜４を参照し、本発明の室内用の殺菌除塵と空気の酸素含有量を増やす装置は、ボディー２１を含み、前記ボディー２１の中には酸素製造チャンバ５６が設置され、前記酸素製造チャンバ５６の左側壁には弾き出しチャンバ４７が設置され、前記弾き出しチャンバ４７の頂壁には頂部チャンバ４９が設置され、前記酸素製造チャンバ５６の上側には駆動チャンバ２４が設置され、前記駆動チャンバ２４と前記酸素製造チャンバ５６と前記頂部チャンバ４９との間には酸素を製造できる酸素製造装置１０１が設置され、前記酸素製造装置１０１は前記駆動チャンバ２４の右側壁に固定的に装着された第一モータ２７を含み、前記第一モータ２７にはモータ軸２６が連結され、前記モータ軸２６にはカム２５が固定的に設置され、前記駆動チャンバ２４の中には駆動板２３がスライドできるように連結され、前記カム２５が前記駆動板２３と当接しており、前記駆動板２３の底面には前記駆動チャンバ２４の底壁とスライドできるように連結されたＬ型ロッド２２が固定的に設置され、前記Ｌ型ロッド２２が下方へ伸びて前記駆動チャンバ２４の底壁を貫通して前記酸素製造チャンバ５６の中に入り、また前記酸素製造チャンバ５６の頂壁とスライドできるように連結され、前記酸素製造チャンバ５６の中には貯蔵ブロック５３がスライドできるように連結され、前記貯蔵ブロック５３が左右にそれぞれ一つあり、前記Ｌ型ロッド２２が右側の前記貯蔵ブロック５３と固定的に連結され、前記貯蔵ブロック５３の中には酸化マンガンを置くことができ、前記貯蔵ブロック５３の底チャンバには金網５２が固定的に設置され、前記貯蔵ブロック５３の中にはリミットチャンバ５８が設置され、前記リミットチャンバ５８の中にはリミットブロック６０がスライドできるように連結され、前記リミットブロック６０が左側の前記貯蔵ブロック５３と固定的に連結され、前記リミットブロック６０と前記リミットチャンバ５８との間にはリミットばね５９が連結され、前記頂部チャンバ４９の中には従動板５５がスライドできるように連結され、前記従動板５５と前記頂部チャンバ４９との間には連結ばね４８が連結され、前記従動板５５の右側面には前記貯蔵ブロック５３と当接できる従動ブロック５４が固定的に設置され、前記酸素製造チャンバ５６の右側壁には気体排出パイプ５７が設置され、前記気体排出パイプ５７の片側には排気チャンバ２９が連結され、前記排気チャンバ２９の左側にはベベルギヤチャンバ２８が設置され、前記ベベルギヤチャンバ２８の左側には気体入りチャンバ４５が設置され、前記気体入りチャンバ４５と前記ベベルギヤチャンバ２８との間及び前記排気チャンバ２９と前記ベベルギヤチャンバ２８との間にはそれぞれ細管４２が連結され、前記排気チャンバ２９と前記ベベルギヤチャンバ２８と前記気体入りチャンバ４５との間には浄化装置１０２が設置され、前記浄化装置１０２が空気の流通を速められ、前記ボディー２１の底チャンバには台座４０が設置され、前記台座４０の中には回転装置１０３が設置され、前記回転装置１０３が前記ボディー２１を連動させて回転させることができ、これにより空気の流通と酸素の放出を速められる。
【００１９】
また、前記浄化装置１０２は前記ベベルギヤチャンバ２８の左右側壁に回転できるように装着された横軸４４を含み、前記横軸４４には第一ベベルギヤ３１が固定的に設置され、前記横軸４４がそれぞれ左右の両側壁に伸び、前記ベベルギヤチャンバ２８の左右側壁を貫通して前記気体入りチャンバ４５と前記排気チャンバ２９の中に入り、また前記排気チャンバ２９の一側壁と回転できるように連結され、前記横軸４４の左右両側にはファン４３が対称的に固定的に設置され、前記排気チャンバ２９の中には空気を濾過できるフィルタ３０が固定的に設置され、これにより前記第一ベベルギヤ３１が回転する時、前記横軸４４と前記ファン４３とを連動させて回転させ、これにより空気が前記気体入りチャンバ４５により吸い込まれ、前記細管４２と、前記ベベルギヤチャンバ２８と、前記フィルタ３０とを通し、最後に前記排気チャンバ２９により排出される。
【００２０】
また、前記回転装置１０３は前記台座４０の中に設置された開口チャンバ３４を含み、前記開口チャンバ３４の底壁には第二モータ３７が固定的に設置され、前記第二モータ３７には長軸４１が連結され、前記長軸４１が上方へ伸びて前記ベベルギヤチャンバ２８の中に入り、且つ前記ベベルギヤチャンバ２８の底壁と回転できるように連結され、前記長軸４１の頂側には前記第一ベベルギヤ３１と噛み合っている第二ベベルギヤ３２が固定的に設置され、前記長軸４１のうち前記開口チャンバ３４の中に位置しているところには第一ギヤ３６が固定的に設置され、前記開口チャンバ３４の底壁には短軸３８が回転できるように連結され、前記短軸３８には前記第一ギヤ３６と噛み合っている第二ギヤ３９が固定的に設置され、前記開口チャンバ３４の中にはリングギヤ３５がスライドできるように連結され、前記リングギヤ３５の頂面には連結ロッド３３が左右対称的に固定的に設置され、前記連結ロッド３３が前記ボディー２１の底面と固定的に連結され、これにより前記第二モータ３７を始動することで前記長軸４１と前記第一ギヤ３６を連動させて回転させ、これにより前記第二ギヤ３９と前記リングギヤ３５とを連動させて回転させ、これにより、前記開口チャンバ３４により前記ボディー２１を連動させて回転させ、装置の作用は濾過した空気と生じた酸素を四方へ放出し、空気の流通を速めることである。
【００２１】
また、前記ボディー２１の外周には消毒灯５０が固定的に設置され、前記消毒灯５０をつけた時に部屋を消毒することができる。
【００２２】
また、前記フィルタ３０が空気中の埃を有効的に濾過することができる。
【００２３】
また、前記酸素製造チャンバ５６の左側壁には連通チャンバ４６が設置され、前記連通チャンバ４６の中には電磁弁５１が固定的に設置され、前記電磁弁５１が前記酸素製造チャンバ５６の開閉を制御できる。
【００２４】
また、二つの前記ファン４３の装着方向が逆であり、前記気体入りチャンバ４５の中の前記ファン４３が気体を吸い入れることができ、前記排気チャンバ２９の中の前記ファン４３が気体を排出することができる。
【００２５】
使用する時、患者が入院する前に、消毒灯５０をつけて室内を消毒し、そして第一モータ２７を始動し、これによりモータ軸２６とカム２５とを連動させて回転させ、これにより駆動板２３とＬ型ロッド２２を連動させて上方へ移動させ、貯蔵ブロック５３により従動ブロック５４と従動板５５とを上方へ突き上げ、貯蔵ブロック５３が一番頂端まで運動した時、リミットばね５９がリミットブロック６０と左側の貯蔵ブロック５３を左方へ押し、これにより左側の貯蔵ブロック５３が弾き出しチャンバ４７から押し出され、そして貯蔵ブロック５３の中に酸化マンガンを入れ、そして貯蔵ブロック５３を推して酸素製造チャンバ５６の中に戻し、そしてＬ型ロッド２２により貯蔵ブロック５３を連動させて下降させ、そして電磁弁５１を起動し、酸素製造チャンバ５６の中に過酸化水素水を入れ、そしてＬ型ロッド２２を制御して下方へ移動させ、これにより過酸化水素水が酸素の触媒作用のもとで酸素を作り出し、気体排出パイプ５７により放出され、そして第二モータ３７を始動し、これにより長軸４１と第一ギヤ３６を連動させて回転させ、これにより第二ギヤ３９とリングギヤ３５とを連動させて回転させ、これにより開口チャンバ３４によりボディー２１を連動させて回転させ、これにより第二ベベルギヤ３２を通じて第一ベベルギヤ３１を連動させて回転させ、これにより横軸４４とファン４３とを連動させて回転させ、これにより空気を気体入りチャンバ４５により吸い込んで細管４２と、ベベルギヤチャンバ２８と、排気チャンバ２９と、フィルタ３０とにより排出し、同時にフィルタ３０により空気中の異臭と埃とを吸収し、患者が入院した時に消毒灯を消せばよい。
【００２６】
本発明の有益効果は：本装置は過酸化水素水が酸化マンガンの触媒作用のもとで大量の酸素を作り出し、同時に作り出した酸素の純度が高く、装置が酸素製造装置の上下移動を通じて過酸化水素水と酸化マンガンとの接触量を制御でき、これにより酸素の生成の速度を制御し、これにより患者が酸素マスクをつけて酸素を吸入する必要がなくなり、患者の快適性を向上させる。
同時に本装置は病室を消毒でき、消毒設備を省き、また、本装置が空気の流通を速めると同時に、空気の中の異臭と埃とを濾過でき、これにより酸素の輸送を速めるだけではなく、病室を快適な環境にする。
【００２７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020196658.tif 000003
【図２】
2020196658.tif 000004
【図３】
2020196658.tif 000005
【図４】
2020196658.tif 000006
【手続補正書】
【提出日】令和2年1月20日(2020.1.20)
【手続補正１】
【補正対象書類名】特許請求の範囲
【補正対象項目名】請求項４
【補正方法】変更
【補正の内容】
【請求項４】
前記回転装置は開口チャンバと、第二モータと、長軸と、第二ベベルギヤと、第一ギヤと、第二ギヤと、リングギヤと、連結ロッドと、短軸とにより構成され、前記台座の中には前記開口チャンバが設置され、前記開口チャンバの底壁には第二モータが固定的に設置され、前記第二モータには長軸が連結され、前記長軸が上方へ伸びて前記ベベルギヤチャンバの中に入り、且つ前記ベベルギヤチャンバの底壁と回転できるように連結され、前記長軸の頂側には前記第一ベベルギヤと噛み合っている第二ベベルギヤが固定的に設置され、前記長軸のうち前記開口チャンバの中に位置しているところには第一ギヤが固定的に設置され、前記開口チャンバの底壁には短軸が回転できるように連結され、前記短軸には前記第一ギヤと噛み合っている第二ギヤが固定的に設置され、前記開口チャンバの中にはリングギヤがスライドできるように連結され、前記リングギヤの頂面には連結ロッドが左右対称的に固定的に設置され、前記連結ロッドが前記ボディーの底面と固定的に連結されていることを特徴とする請求項３に記載の室内用の殺菌除塵と空気の酸素含有量を増やす装置。